(57)【要約】【課題】被検眼による視認状態を検査可能な状態に補正可能な検眼装置を提供すること。【解決手段】左被検眼により視認される左視標と右被検眼により視認される右視標の視認状態が両被検眼の検査が可能な状態である最適検査条件となるように、左眼用検査ユニット５Ｌの液晶表示器５３に表示された左視標と右眼用検査ユニット５Ｒの液晶表示器５３に表示された右視標の位置を個別に補正させる入力操作装置Ｐｃが設けられている。【選択図】  図８
2010259495.tif 000002
【特許請求の範囲】
【請求項１】
被検者の左被検眼を検査させる左検査光学系が内蔵された左検査ユニットと、
前記被検者の右被検眼を検査させる右検査光学系が内蔵された右検査ユニットと、
前記左検査光学系を介して前記左被検眼に視認させる左視標が表示されられる左画像表示装置と、
前記右の検査光学系を介して前記右被検眼に視認させる右視標が表示されられる右画像表示装置と、
複数の視標を記録させた視標記録手段と、
前記視標記録手段に記録させた複数の視標から前記左視標及び右視標を選択する視標選択手段と、
前記視標選択手段により選択される前記左視標及び右視標を前記左画像表示装置及び右画像表示装置にそれぞれ独立して表示させる演算制御回路とを、備える検眼装置であって、
前記左被検眼により視認される前記左視標と前記右被検眼により視認される前記右視標の視認状態が最適検査条件となるように、前記左画像表示装置に表示された前記左視標と前記右画像表示装置に表示された前記右視標の位置を個別に補正させる視標表示状態補正手段が設けられていることを特徴とする検眼装置。
【請求項２】
請求項１に記載の検眼装置において、前記視認状態は前記左被検眼の屈折度数に基づく前記左視標の左視標視認サイズ及び前記右被検眼の屈折度数に基づく前記右視標の右視標視認サイズであり、
前記視標表示状態補正手段は、前記最適検査条件として前記左視標視認サイズと前記右視標視認サイズが同じになるように、前記左画像表示装置に表示された前記左視標の表示サイズと前記右画像表示装置に表示された前記右視標の表示サイズを前記左被検眼及び右被検眼の屈折度数に基づいて個別に補正可能に設けられていることを特徴とする検眼装置。
【請求項３】
請求項１に記載の検眼装置において、前記視認状態は前記左の被検眼による前記左視標の左視標視認コントラスト及び前記右の被検眼による前記右視標の右視標視認コントラストであり、
前記視標表示状態補正手段は、前記最適検査条件として前記左視標視認コントラスト及び前記右視標視認コントラストが同じになるように、前記左画像表示装置に表示された前記左視標のコントラストと前記右画像表示装置に表示された前記右視標のコントラストを個別に補正可能に設けられていることを特徴とする検眼装置。
【請求項４】
請求項１に記載の検眼装置において、
前記視認状態は前記左被検眼と前記右被検眼の眼位ズレによって生じる視標視認位置ズレであって前記左被検眼による前記左視標の左視標視認位置と前記右被検眼による前記右視標の右視標視認位置の融合状態における視標視認位置ズレであり、
前記視標表示状態補正手段は、前記最適検査条件として前記左視標視認位置と前記右視標視認位置の視標視認位置ズレがゼロとなるように、前記左画像表示装置に表示された前記左視標の表示位置と前記右画像表示装置に表示された前記右視標の表示位置を個別に補正可能に設けられていることを特徴とする検眼装置。
【請求項５】
請求項１に記載の検眼装置において、
前記視認状態は前記左被検眼と前記右被検眼の左右方向への眼位ズレによって生じる視標視認位置ズレであって前記左被検眼による前記左視標の左視標視認位置と前記右被検眼による前記右視標の右視標視認位置の融合状態における視標視認位置ズレであり、前記左検査ユニットは左ユニット駆動装置により前記左被検眼の回旋中心に水平旋回可能に設けられ、前記右検査ユニットは右ユニット駆動装置により前記右被検眼の回旋中心に水平旋回可能に設けられていると共に、
前記視標表示状態補正手段は、前記最適検査条件として前記左視標視認位置と前記右視標視認位置の左右方向への視標視認位置ズレがゼロとなるように、前記駆動装置を作動制御して前記左検査ユニットと前記右検査ユニットを個別に水平旋回させることにより、前記左画像表示装置に表示された前記左視標と前記右画像表示装置に表示された前記右視標の位置を個別に補正させることを特徴とする検眼装置。
【発明の詳細な説明】
【技術分野】
【０００１】
この発明は、視標データに基づく視標を切り替え表示可能な視標表示装置が左検査ユニット及び右検査ユニット内の検査光学系に組み込まれている検眼装置に関するものである。
【背景技術】
【０００２】
従来の検眼装置には、屈折矯正光学系等が設けられた光学装置本体と、光学装置本体を介して視認させる視標を呈示（表示）させる視標呈示装置を自覚式検眼装置（自覚式検眼システム）が知られている（例えば、特許文献１参照）。
【０００３】
この自覚式検眼装置では、上下に延びる支柱を上下動可能且つ鉛直軸周りに旋回可能に検眼テーブルに取り付け、この支柱に水平方向に延びるアームを保持させ、このアームに光学装置本体を支持させるようにしている。この光学装置本体は、視認窓（検眼窓）を有する左の検眼ユニットと、視認窓を有する右の検眼ユニットを有する。そして、各検眼ユニット内には、矯正レンズ等の屈折矯正光学部品が組み込まれている。
【０００４】
このような自覚式検眼装置では、検眼ユニットの前側に視標呈示装置を配置して、被検者の左右眼（左右の被検眼）に左右の検眼ユニットの視認窓を介して視標呈示装置の視標を視認させると共に、検者が被検者に視標の見え方を質問して検者に見え方を応答させることで、被検眼の屈折検査等が行われるようになっている。
【０００５】
このような自覚式検眼装置では、屈折レンズを備える屈折矯正光学系の設計として、被検眼の角膜頂点から所定距離ｄ（ｍｍ）離した位置に矯正レンズを配置するようにした例がある。例えば、通常、アジア人の場合ｄ＝１２、欧米人の場合ｄ＝１３．７５の位置に矯正レンズを配置するようにしている。
【先行技術文献】
【特許文献】
【０００６】
【特許文献１】特開２００７−６１３８０号公報
【発明の概要】
【発明が解決しようとする課題】
【０００７】
このような従来の自覚式検眼装置では、屈折矯正光学系による左右眼の矯正値の差が大きいと、左右眼で見える物の大きさ（視認状態）に差が生じ、正しく両眼視出来なかったり、正しい視力測定を行えなかったりと言った不都合が生じていた。
【０００８】
一方、上述した自覚式検眼装置では、矯正レンズを瞳と共役となる位置に配置することにより、コンタクトレンズのように、瞳上にレンズを配置していることと同じ効果をもたらすような設計も可能である。
【０００９】
この場合、屈折度数に依って視標の視認サイズ（視認状態）が変わることはないので、上述したような問題は発生しないが、測定された度数で実際に眼鏡を作成した段階で、初めて像の視認サイズの違いを認識し、問題となることがあった。
【００１０】
また、上述した自覚式検眼装置では、白内障など、何らかの原因により左右眼のコントラスト感度（視認状態）が異なる被検者の場合、両眼視機能の確認を正しく行えない問題があった。
【００１１】
更に、輻輳テストや眼位ずれテストは、通常はプリズムレンズを使用して行うが、プリズム度数が強くなるにつれ色収差が大きくなり、視標の輪郭を正しく認識できないなど、検査結果に影響を与える問題があった。
【００１２】
そこで、この発明は、被検眼による視認状態を検査可能な状態に補正可能な検眼装置を提供することを目的とするものである。
【課題を解決するための手段】
【００１３】
この目的を達成するため、この発明は、被検者の左被検眼を検査させる左検査光学系が内蔵された左検査ユニットと、前記被検者の右被検眼を検査させる右検査光学系が内蔵された右検査ユニットと、前記左検査光学系を介して前記左被検眼に視認させる左視標が表示されられる左画像表示装置と、前記右の検査光学系を介して前記右被検眼に視認させる右視標が表示されられる右画像表示装置と、複数の視標を記録させた視標記録手段と、前記視標記録手段に記録させた複数の視標から前記左視標及び右視標を選択する視標選択手段と、前記視標選択手段により選択される前記左視標及び右視標を前記左画像表示装置及び右画像表示装置にそれぞれ独立して表示させる演算制御回路とを、備える検眼装置であって、
前記左被検眼により視認される前記左視標と前記右被検眼により視認される前記右視標の視認状態が最適検査条件となるように、前記左画像表示装置に表示された前記左視標と前記右画像表示装置に表示された前記右視標の位置を個別に補正させる視標表示状態補正手段が設けられている検眼装置としたことを特徴とする。
【発明の効果】
【００１４】
この構成によれば、被検眼による視認状態を検査可能な状態に簡易に補正できる。
【図面の簡単な説明】
【００１５】
【図１】本発明に係わる検眼装置の概要を示す説明図である。
【図２】図１に示す検眼装置の外観図である。
【図２Ａ】図２の検査ユニットの旋回中心を説明する概略説明図である。
【図３】図１に示す検眼装置の光学系を示す図である。
【図４】図３に示す光学系の左眼用のものを拡大して示す図である。
【図５】図４に示す左眼用光学系の平面図である。
【図６】図３に示す光学系の右眼用のものを拡大して示す図である。
【図７】図６に示す右眼用光学系の平面図である。
【図７Ａ】この発明に係る検眼装置の検査光学系の他の例を示す説明図である。
【図８】本発明に係わる検眼装置の制御系のブロック図である。
【図９Ａ】検眼装置の近傍に配設したレンズメータ及びモニター装置と検眼装置との接続状態を示す説明図である。
【図９Ｂ】図９Ａのレンズメータを検眼装置から遠くに置いてレンズメータとモニター装置とを接続した状態を示す説明図である。
【図９Ｃ】図９Ａの検眼装置とモニター装置とを複数台設置し、レンズメータをＬＡＮを介してモニター装置に接続した状態を示す説明図である。
【図１０】図９Ａ〜図９Ｃに示すレンズメータの外観図である。
【図１１】左右の検査ユニットの液晶表示器にそれぞれ表示されるサイズ確認用の左視標及び右視標の説明図である。
【図１２】図１１の左視標及び右視標及び図１２の右視標を被検者に同時に視認させたときの視標視認状態の一例を示す説明図である。
【図１３】図１１の左視標及び右視標及び図１２の右視標を被検者に同時に視認させたときの視標視認状態の他の例を示す説明図である。
【図１４】図１１の左視標及び右視標及び図１２の右視標を被検者に同時に視認させたときの視標視認状態の更に他の例を示す説明図である。
【図１５】左右の検査ユニットの液晶表示器にそれぞれ表示されるコントラスト確認用の左視標及び右視標の説明図である。
【図１６】図１５の左視標及び右視標及び図１６の右視標を被検者に同時に視認させたときの正常な視標視認状態を示す説明図である。
【図１７】図１５の左視標及び右視標及び図１６の右視標を被検者に同時に視認させたときのコントラストが異なる視標視認状態の一例を示す説明図である。
【図１８】斜位テストにおける十字チャートの左眼及び右眼に呈示する左視標及び右視標を示す説明図である。
【図１９】図１８に示した左視標及び右視標を被検者に同時に視認させたときの視標視認状態の一例を示す説明図である。
【図２０】左視標及び右視標として文字Ａを被検者に同時に視認させたときの視標視認状態の例を示す説明図である。
【図２１】斜位テストにおける十字チャートの左眼および右眼に呈示する視標と融像枠との関係を示すチャート説明図である。
【図２２】図２１（ａ），（ｂ）に示した視標が融像した状態で被検者に見えたときの説明図である。
【図２３】図１９に示した左視標及び右視標を被検者に同時に視認させたときの視標視認状態および他の例を示す説明図である。
【図２４】左視標及び右視標としてランドルト環を被検者に同時に視認させたときの視標視認状態の例を示す説明図である。
【発明を実施するための形態】
【００１６】
以下、この発明の実施の形態を図面に基づいて説明する。
[構成]
図１において、１は高さが上下調節可能な検眼テーブル、２は検眼テーブル１に配設された検眼装置、３は検眼テーブル１で用いられる検眼椅子、４は検眼椅子に着座した被検者である。
【００１７】
この検眼装置２は、図２に示すように台座部５aと、この台座部５ａ上に配設された検査ユニット駆動装置５ｂと、検査ユニット駆動装置５ｂの左右上にそれぞれ配設された左眼用検査ユニット（左検査ユニット）５Ｌ及び右眼用検査ユニット（右検査ユニット）５Ｒを有する。この左眼用検査ユニット５Ｌおよび右眼用検査ユニット５Ｒの装置本体内には、後述する左眼用測定光学系（左眼用検査光学系）及び右眼用測定光学系（右眼用検査光学系）がそれぞれ内蔵されている。
【００１８】
以下の説明では説明の便宜上、左眼用検査ユニット５Ｌおよび右眼用検査ユニット５Ｒを単に検査ユニット５Ｌおよび検査ユニット５Ｒと省略して説明に用い、左眼用測定光学系（左眼用検査光学系）及び右眼用測定光学系（右眼用検査光学系）を測定光学系（検査光学系）と省略して説明に用いる。尚、以下の説明では、必要に応じて、左眼用検査ユニット５Ｌおよび右眼用検査ユニット５Ｒや左眼用測定光学系（左眼用検査光学系）及び右眼用測定光学系（右眼用検査光学系）を用いることもある。
【００１９】
更に、以下の説明では、左眼用検査ユニット５Ｌおよび右眼用検査ユニット５Ｒに用いる各部品について左眼用および右眼用の区別をしない用語を用いて説明しているが、左眼用検査ユニット５Ｌに用いる各部品の用語に左眼用を加え、右眼用検査ユニット５Ｒに用いる各部品の用語に右眼用を加えて、左右の区別を付けるようにすることもできる。
【００２０】
また、検眼装置２は、鉛直方向に延びて検査ユニット５Ｌ，５Ｒを検査ユニット駆動装置５ｂにそれぞれ支持させる支柱５ｐ，５ｑと、被検者４の顔を検査ユニット５Ｌ，５Ｒによる検査位置に支持させる顔受け装置６を有する。
【００２１】
顔受け装置６には、一対の支柱６ａ、６ｂと顎受け６ｄとが設けられている。一対の支柱６ａ、６ｂには円弧状の額当て６ｃが設けられている。顎受け６ｄはノブ６ｅにより上下方向に調節可能である。また、額当て６ｃも前後方向に調節可能である。
【００２２】
検査ユニット駆動装置５ｂの装置本体５ｂ１内には、図２Ａに示したような左支持ベースＢＬ，右支持ベースＢＲが左右に間隔をおいて配設されている。この左支持ベースＢＬ及び右支持ベースＢＲは、三次元方向（前後・左右・上下）にそれぞれ独立して移動可能に設けられている。そして、この左支持ベースＢＬ，右支持ベースＢＲには、上述した鉛直方向に延びる支柱５ｐ，５ｑが図２Ａの鉛直軸（軸線）ＵｏＬ，ＵｏＲ周りにそれぞれ回転可能に取り付けられ（支持、保持され）ている。この鉛直軸（軸線）ＵｏＬ，ＵｏＲは、被検者が顎受け６ｄに顔の顎を載せると共に額当て６ｃに顔の額を当てるように支持されたときに、被検者の左右の被検眼の眼球回旋軸（眼球旋回中心軸、眼球中心位置）となるように配置されている。
【００２３】
また、検査ユニット駆動装置５ｂの装置本体５ｂ１内には、左支持ベースＢＬ，右支持ベースＢＲをそれぞれ三次元方向に駆動させる左右のＸＹＺ駆動機構（図示せず）と、支柱５ｐ，５ｑを左右の支持ベース（図示せず）に対してそれぞれ独立に水平方向に旋回駆動（回転駆動）させる旋回駆動機構としての回転駆動機構（図示せず）が内蔵されている。
【００２４】
このＸＹＺ駆動機構には、例えばパルス駆動モータ等の駆動モータを備える三次元駆動装置（三次元駆動手段）、及び、この三次元駆動装置で回転駆動される送りネジ等が用いられている。このＸＹＺ駆動機構には公知の構成が採用できる。
【００２５】
また、回転駆動機構（旋回駆動機構）には、例えばパルスモータ（旋回駆動モータ）等の旋回用駆動モータ（旋回用駆動装置）を備える旋回用駆動手段と、この旋回用駆動手段により作動させられるギヤとの組み合わせが用いられている。この回転駆動機構（旋回駆動機構）にも公知の構成が採用できる。
【００２６】
このような構成により、検査ユニット５Ｌ，５Ｒはそれぞれ独立して三次元方向に駆動可能になっていると共に、水平方向に旋回可能になっている。
【００２７】
また、検査ユニット５Ｌ，５Ｒは、両眼同時の他覚眼屈折力測定及び自覚屈眼屈折力測定の機能を有し、左右被検眼の眼球回旋点を中心として回転される。
【００２８】
台座部５ａには被検者応答入力装置６ＬＲが設けられている。この被検者応答入力装置６ＬＲは、ジョイステックレバー６ｈと、このジョイステックレバー６ｈに設けられたボタン６ｇを有する。
【００２９】
更に、上述した検査ユニット５Ｌの測定光学系（左検査光学系）は、図３〜図５に示した前眼部撮影光学系３０Ｌ、図３，図４に示したアライメント用の輝点像形成に用いるＸＹアライメント光学系３１Ｌ、図５に示した固視光学系３２Ｌおよび屈折力測定光学系３３Ｌを有する。
【００３０】
検査ユニット５Ｒの測定光学系（右検査光学系）は、図３、図６に示した前眼部撮影光学系３０Ｒ、アライメント用の輝点像形成に用いるＸＹアライメント光学系３１Ｒ、図７に示した固視光学系３２Ｒ、屈折力測定光学系３３Ｒを有する。
【００３１】
尚、検査ユニット５Ｌの測定光学系と検査ユニット５Ｒの測定光学系は、左右対称であると共に、構成が同一である。先ず、この検査ユニット５Ｌの測定光学系について説明する。
（検査ユニット５Ｌ）
この検査ユニット５Ｌの前眼部撮影光学系３０Ｌは、図３に示した前眼部照明光学系３４と、撮影光学系３５を有する。前眼部照明光学系３４は、前眼部照明用の照明光源３６、絞り３６ａ、照明光源３６からの光を被検眼Ｅの前眼部に投影する投影レンズ３７を有する。
【００３２】
撮影光学系３５は、被検眼Ｅの前眼部からの反射光が入射するプリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５、ＣＣＤ（撮像手段）４６を有する。
【００３３】
ＸＹアライメント光学系３１Ｌは、アライメント照明光学系４７、アライメント受光光学系としての撮影光学系３５を有する。アライメント照明光学系４７は、図４に示したように、アライメント用の照明光源４８、アライメント視標としての絞り４９、リレーレンズ５０、ダイクロイックミラー４１、絞り４０、ダイクロイックミラー３９、対物レンズ３８、プリズムＰを有する。
【００３４】
固視光学系３２Ｌは、図５に示した固視標や自覚式検眼用のチャート（斜位検査用の十字斜位チャートを含む）等の視標（左視標）を表示させるカラーの液晶表示器（左画像表示装置である左眼用液晶表示器）５３、ハーフミラー５４、コリメータレンズ５５、ロータリープリズム５５Ａ、５５Ｂ、反射ミラー５６、移動レンズ５７、リレーレンズ５８、５９、クロスシリンダレンズ（ＶＣＣレンズ）５９Ａ、５９Ｂ、反射ミラー６０、ダイクロイックミラー６１、３９、対物レンズ３８、プリズム（ミラーでも良い）Ｐを有する。
【００３５】
ロータリープリズム５５Ａ，５５Ｂやクロスシリンダレンズ（ＶＣＣレンズ）５９Ａ，５９Ｂ等には特許文献１に開示されたような公知のものが用いられる。
【００３６】
固視光学系３２Ｌにおいては、移動レンズ５７が被検眼の屈折力に応じてパルスモータＰＭａにより光軸方向に移動可能となっている。これにより、被検眼に固視雲霧させることができる。
【００３７】
その固視光学系３２Ｌには、図５に示した融像視標提示光学系３２Ｌ′が設けられている。融像視標提示光学系３２Ｌ′は、照明光源としてのＬＥＤ５３Ａ、コリメータレンズ５３Ｂ、融像枠チャート５３Ｄ、全反射ミラー５３Ｅを備えている。
【００３８】
尚、図５の測定光学系を用いてこの発明の視標表示位置の調整操作を実行することができるが、図５の融像視標提示光学系３２Ｌ′及び液晶表示器５３省略して、これらに代えて図７Ａに示したように３ＬＣＤ３００を画像表示装置として設けることもできる。この３ＬＣＤ３００は、３つのＬＣＤ（液晶表示器）を組み合わせて、３つのＬＣＤ（液晶表示器）によりカラーで視標等の画像を表示できるようにしたものである。上述したロータリープリズム５５Ａ，５５Ｂを図７Ａのように省略することもできる。尚、図７Ａでは、図５，図７の光学部品の一部を概略的に図示している。このような図７Ａの構成とした場合には、光学部品を多数省略できるので、全体を小型化できるが、以下、図５，図７の測定光学系を用いた場合においてこの発明の視標表示位置の調整操作を説明する。
【００３９】
屈折力測定光学系３３Ｌは、図５に示した測定光束投影光学系６２、測定光束受光光学系６３を有する。測定光束投影光学系６２は、赤外ＬＥＤ等の測定用光源６４、コリメータレンズ６５、円錐プリズム６６、リング視標６７、リレーレンズ６８、リング状絞り６９、中央に透孔７０ａが形成された穴あきプリズム７０、ダイクロイックミラー６１、３９、対物レンズ３８、プリズムＰを有する。
【００４０】
また、測定光束受光光学系６３は、被検眼Ｅの眼底Ｅｆからの反射光を受光するプリズムＰ、対物レンズ３８、ダイクロイックミラー３９、６１、穴あきプリズム７０の透孔７０ａ、反射ミラー７１、リレーレンズ７２、移動レンズ７３、反射ミラー７４、ダイクロイックミラー４４、ＣＣＤレンズ４５、ＣＣＤ４６を有する。
（検査ユニット５Ｒ）
また、右眼用の検査ユニット５Ｒの測定光学系（右検査光学系）は、上述したように検査ユニット５Ｌの測定光学系（左検査光学系）と同一であるので、検査ユニット５Ｌに用いた符号を付して、その詳細な説明は省略する。尚、右眼用の検査ユニット５Ｒの測定光学系に用いられる液晶表示器５３は、右眼用液晶表示器（右画像表示装置）であり、図５に示した固視標や自覚式検眼用のチャート（斜位検査用の十字斜位チャートを含む）等の視標（右視標）が表示される。
（ＸＹＺ駆動機構）
検査ユニット５Ｌ，５Ｒは、上述したように左右のＸＹＺ駆動機構によりそれぞれ三次元方向に独立に駆動されるようになっている。この左右のＸＹＺ駆動機構は、図８に示した左三次元駆動装置（三次元駆動手段）と、右三次元駆動装置（三次元駆動手段）を備えている。
【００４１】
この左三次元駆動装置（三次元駆動手段）は、左ユニット駆動装置（左ユニット駆動手段）Ｌｄと、この左ユニット駆動装置Ｌｄを作動制御するサブ（補助）の左制御回路（左制御手段）である演算制御回路６２′（Ｌ）を有する。また、右三次元駆動装置（三次元駆動手段）は、右ユニット駆動装置（左ユニット駆動手段）Ｒｄと、この右ユニット駆動装置Ｒｄを作動制御するサブ（補助）の左制御回路（左制御手段）である演算制御回路６２′（Ｒ）を有する。
【００４２】
また、左ユニット駆動装置Ｌｄは、支持ベース（図示せず）を左右方向（Ｘ方向）に駆動させる駆動装置（Ｘ駆動装置）２０、支持ベース（図示せず）を上下方向（Ｙ方向）に駆動させる駆動装置（Ｙ駆動装置）２４、及び支持ベース（図示せず）を前後方向（Ｚ方向）に駆動させる駆動装置（Ｚ駆動装置）２６を備えている。この各駆動装置２０，２４，２６は、パルス駆動モータ等の駆動モータ及びこの駆動モータ回転駆動される送りネジをそれぞれ備えている。
（旋回駆動機構）
更に、上述したように検査ユニット５Ｌ，５Ｒは、左右の回転駆動機構（旋回駆動機構）は、図８の水平回転駆動装置（水平旋回駆動装置）２８，２８によりそれぞれ図２の支柱５ｐ，５ｑの鉛直軸の周りに旋回駆動されるようになっている。
【００４３】
この各水平回転駆動装置（水平旋回駆動装置）２８には、上述したようにパルスモータ（旋回駆動モータ）等の旋回用駆動モータと、この旋回用駆動モータにより作動させられるギヤとの組み合わせが用いられている。
＜制御回路＞
更に、検査ユニット５Ｌ，５Ｒを備える図２の検眼装置２は、図８に示した制御系である制御回路（制御手段）を備えている。この制御回路は、上述した左右の演算制御回路６２′（Ｌ），６２′（Ｒ）と、左右の演算制御回路６２′（サブの演算制御回路）を作動制御するメインの演算制御回路（メインの制御手段）６３′を備えている。
（演算制御回路６２′（Ｌ），６２′（Ｒ））
このサブ（補助）の演算制御回路６２′（Ｌ）は、メインの演算制御回路６３′により動作制御されて、駆動装置２０，２４，２６，２８の図示しないパルスモータ等の駆動モータを駆動制御するようになっている。
【００４４】
更に、図８に示した演算制御回路６２′は、前眼部観察用の照明光源３６、液晶表示器（固視標光源）５３、測定用光源６４、パルスモータＰＭａ等を作動制御するようになっている。また、演算制御回路６２′にはＣＣＤ４６からの検出信号が入力される。
【００４５】
また、上述したように検査ユニット５Ｌ，５Ｒは内部に左右の検査光学系をそれぞれ有していて、この検査ユニット５Ｌ，５Ｒが初期位置に位置させられたときには、左右の検査光学系の光軸のうちプリズムＰ，Ｐより手前側（顔受け装置６側）の光軸部が互いに平行になるように設定されている。
【００４６】
この初期位置では、被検者の左右眼が検査ユニット５Ｌ，５Ｒの検査光学系を介して左右の検査ユニット５Ｌ，５Ｒ内の液晶表示器５３，５３を視認させたときに、左右の被検眼の視軸が互いに平行となって無限遠方視できる状態になるように設定される。
【００４７】
この初期位置は、回転角度検出センサＰｓＬ，ＰｓＲで支柱５ｐ、５ｑの回転角等を検出することで、検出することができる。この回転角度検出センサＰｓＬ，ＰｓＲからの初期位置検出信号は演算制御回路６２′（６２′Ｌ），６２′（６２′Ｒ）にそれぞれ入力されるようになっている。この回転角度検出センサＰｓＬ，ＰｓＲには、ロータリーエンコーダやポテンショメータ等を用いることができる。
【００４８】
尚、上述したように演算制御回路６２′（Ｌ），６２′（Ｒ）は、それぞれ同じ構成要素等を作動制御するようになっている。従って、以下に説明する検査ユニット５Ｌ，５Ｒの動作説明において、演算制御回路６２′（Ｌ），演算制御回路６２′（Ｒ）における（Ｌ）や（Ｒ）等の記載は説明の必要に応じて用いる。
（演算制御回路６３′）
(a).接続関係
この演算制御回路（メインの制御手段）６３′は、図８に示すように、検査ユニット５Ｌ，５Ｒの演算制御回路６２′、６２′を制御するようになっている。
【００４９】
また、図２に示したように、台座部５ａには、被検者応答入力装置６ＬＲが被検者応答手段として設けられている。この被検者応答入力装置６ＬＲは、ジョイステックレバー６ｈと、ジョイステックレバー６ｈの上端部に設けられたボタン（スイッチ）６ｇを有する。このジョイステックレバー６ｈは、傾動操作可能かつ軸線周りに回転可能に設けられている。また、ボタン（スイッチ）６ｇは、メニューや視標の選択や撮影等に用いる。しかも、被検者応答入力装置６ＬＲは、図８に示したように、ジョイステックレバー６ｈの傾動操作を検出する傾動検出センサ１２ｂ、ジョイステックレバー６ｈの軸線回りへの回動操作を検出する回転センサ１２ｃを有する。この被検者応答入力装置６ＬＲは、図８の演算制御回路６３′に接続されていて、ボタン６ｇのＯＮ・ＯＦＦ操作信号，傾動検出センサ１２ｂからの傾動信号，回転センサ１２ｃからの回転信号等が演算制御回路６３′に入力されるようになっている。
【００５０】
更に、図８に示した演算制御回路６３′には、視標表示状態補正手段（即ち、視標サイズ補正手段、視標コントラスト補正手段、眼位ずれ補正手段等）としての視標操作装置ＣLRが接続されている。この視標操作装置ＣLRには、図２Ａに示したようなパソコン等からなる入力操作装置Ｐｃが用いられている。即ち、この入力操作装置Ｐｃは、表示部Ｄｓｐと検者操作部Ｋを有する。この検者操作部Ｋは、カーソルボタンや複数の選択ボタン等を備えるキーボードＫｂや、ダイヤルＤａを有する。この視標操作装置ＣLRは、図８の演算制御回路（メインの制御手段）６３′を有する。
【００５１】
また、演算制御回路６３′にはモニター装置６４ｑが接続されている。このモニター装置６４ｑは、図２に示したように台座部５ａに立設された支柱６４ｓに取り付けられている。そのモニター装置６４ｑは、そのモニター画面６４ｑ′に検査データや呈示するチャート，被検眼前眼部像など検査に必要な情報を表示する。
【００５２】
更に、演算制御回路（メインの制御手段）６３′には、視標記録手段（視標記録装置）としてのメモリＭが接続されている。このメモリＭには、視標として風景チャートや、屈折力の測定に用いる多数の視標や、両眼視機能や斜位検査等に用いる多数の視標やチャート等その他が記録（記憶）されている。
【００５３】
この斜位検査等に用いる視標としては例えば図１９に示したような十字斜位テストチャートを用いることができる。この十字斜位テストチャートには、左眼用ズレ検出用視標（左眼用斜位検出視標）Ｌｍおよび右眼用ズレ検出視標（右眼用斜位検出視標）Ｒｍを用いる。ここでは、左眼用ズレ検出用視標Ｌｍは横に間隔をおいた一対の横視標線Ｌｍ１,Ｌｍ２からなり、右眼用ズレ検出視標Ｒｍは縦に間隔をおいた一対の縦視標線Ｒｍ１,Ｒｍ２からなっている。そして、左眼用ズレ検出用視標Ｌｍは検査ユニット５Ｌの液晶表示器５３に表示させられ、右眼用ズレ検出用視標Ｒｍは検査ユニット５Ｒの液晶表示器５３に表示させられるようになっている。
【００５４】
尚、左眼用ズレ検出用視標Ｌｍを検査ユニット５Ｒの液晶表示器５３に表示させ、右眼用ズレ検出用視標Ｒｍを検査ユニット５Ｌの液晶表示器５３に表示させることもできる。また、斜位検査等に用いる視標としては、従来から用いられているものを用いることもできるが、以下の説明では図１９に示した左眼用ズレ検出視標Ｌｍ，右眼用ズレ検出視標Ｒｍを用いる。
【００５５】
そして、これらの視標やチャート等は、視標選択装置（視標選択手段）と視標表示位置調整装置を兼用する視標操作装置ＣLRにより選択可能となっていると共に、表示位置を調整操作可能となっている。
【００５６】
尚、この視標操作装置ＣLRとしては、ダイヤル式（ダイヤルＤａ）のものを用いても良いし、キーボードＫｂのカーソルキーを用いても良いし、マウスやタッチペン等を用いても良いし、タッチパネルを用いても良い。また、視標やチャート等は、検者が任意に選択できる他、検眼プログラム等に従って順次選択表示されるようになっている。この検眼プログラム等は、例えば演算制御回路６３′の図示しないメモリに記録（記憶）されている。更に、視標操作装置ＣLRは一つで左右の液晶表示器５３，５３の視標の操作を検眼プログラムに従って行うことができるようになっているが、左右の液晶表示器５３，５３の視標の操作を別々の視標操作装置で行うようにすることもできる。
【００５７】
以下の説明では、一つの視標操作装置ＣLR及び被検者応答入力装置６ＬＲのジョイステックレバー６ｈとボタン６ｇの操作による視標操作の例を説明する。
(b).初期設定の構成
ところで、検査ユニット５Ｌ，５Ｒの各部品や部品組付部、この検査ユニット５Ｌ，５Ｒ内に部品の一部としてそれぞれ組み込まれた液晶表示器５３，５３等の部品は、寸法公差の範囲内で高い精度で製造されている。しかし、寸法公差の範囲内とはいっても部品組付部や液晶表示器５３等には寸法バラツキが生じる。このような部品の寸法バラツキに加えて、この様な部品を検査ユニット５Ｌ，５Ｒ等に組み込むときに生じる調整バラツキが特に問題となる。即ち、検眼装置の小型化に伴い液晶表示器５３を小型化して、この液晶表示器５３に表示されるチャート部を小さくすると共に、このチャート部を光学系のレンズを介して拡大して被検者に呈示しているため、液晶表示器５３，５３の検査ユニット５Ｌ，５Ｒへの組付時に液晶表示器５３の表示中心と検査ユニット５Ｌ（５Ｒ）の光学系の光軸とを一致させる調整（組付調整）が非常に難しくなっている。
【００５８】
このような部品組付部に液晶表示器５３を組み付けた場合に、液晶表示器５３や部品組付部の寸法バラツキのために液晶表示器５３の表示中心と検査ユニット５Ｌ（５Ｒ）内の検査光学系の光軸とが光軸と直交する方向にずれる。
【００５９】
また、検査ユニット５Ｌ（５Ｒ）が水平方向に所定角度だけ旋回するように、水平回転駆動装置２８の旋回用駆動モータ（図示せず）を演算制御回路６３′により所定の駆動パルスで駆動制御して停止させたときにも、水平回転駆動装置２８のギヤ（図示せず）や旋回用駆動モータ等の個体差により検査ユニット５Ｌ（５Ｒ）の停止位置が所定角度からずれる。
【００６０】
このようなずれ（ズレ）の補正は、検査ユニット５Ｌ，５Ｒに対してそれぞれ実行する。
【００６１】
この補正のために演算制御回路６３′は、検眼装置２の電源をＯＮさせて起動させたときに、モニター装置６４ｑのモニター画面（表示部）６４ｑ′に操作メニュー等を表示させるようになっている。この操作メニューには、初期設定メニュー等も含まれている。
【００６２】
しかも、演算制御回路６３′は、初期表示設定のために操作メニューから初期設定メニューをジョイステックレバー６ｈの傾動操作で選択すると、モニター画面６４ｑ′に初期設定画面を表示させるようになっている。この初期設定画面には、遠方視状態の表示位置補正メニュー（項目）、輻輳状態の表示位置補正メニュー（項目）等を表示させることができる。
【００６３】
また、モニター画面６４ｑ′には、表示位置補正メニュー（項目）を選択したときに、左の検査ユニット５Ｌの液晶表示器５３に表示される視標等の画像の表示中心位置を補正するための左表示位置補正メニュー（項目）、右の検査ユニット５Ｒの液晶表示器５３に表示される視標等の画像の表示中心位置を補正するための右側表示位置補正メニュー（項目）等が表示されるようにできる。
【００６４】
そして、演算制御回路６３′は、ジョイステックレバー６ｈの傾動操作により補正メニュー（項目）から左表示位置補正メニュー（項目）を選択すると、演算制御回路６２′（Ｌ)を動作制御して、演算制御回路６２′（Ｌ)により左の検査ユニット５Ｌの液晶表示器５３に初期の表示中心位置を示すマークＭｃを図１５のように基準点として表示させるようになっている。
【００６５】
一方、演算制御回路６３′は、ジョイステックレバー６ｈの傾動操作により補正メニュー（項目）から右表示位置補正メニュー（項目）を選択すると、演算制御回路６２′（Ｒ)を動作制御して、演算制御回路６２′（Ｒ)により右の検査ユニット５Ｌの液晶表示器５３に初期の表示中心位置を示すマークＭｃを図１５のように表示させるようになっている。
【００６６】
このような表示状態において演算制御回路６３′は、ジョイステックレバー６ｈの傾動操作で表示中心位置を示すマークＭｃを移動制御すると共に、移動制御後にボタン６ｇを押すことで表示中心位置を示すマークＭｃを移動位置に設定することができるようになっている。尚、この初期表示設定の操作は、パソコン等のマウスやキーボード等の入力手段で行うこともできる。
＜検眼装置２と他の機器との接続関係＞
検眼装置２には、他の機器としてレンズメータ１０００が接続されている。このレンズメータ１０００の接続態様は図９Ａ〜図９Ｃのいずれでも良い。そのレンズメータ１０００の外観が例えば図１０に示されている。このレンズメータ１０００は眼鏡１００６の左右のフレーム入り眼鏡レンズ１００６Ｌ、１００６Ｒの光学特性を同時に測定する機能を有する。
【００６７】
この図１０において、１００７Ｌ、１００７Ｒは眼鏡レンズ１００６Ｌ、１００６Ｒの押さえレバーである。眼鏡１００６をこのレンズメータ１０００の眼鏡セット台１００１に置くと、眼鏡セット台１００１に設置の検出ピン（図示を略す）が眼鏡１００６のセットを検出する。
【００６８】
これにより、自動的に押さえレバー１００７Ｌ、１００７Ｒが下降して、押さえ爪１００８Ｌ、１００８Ｒにより眼鏡１００６が固定され、レンズメータ１０００に内蔵の測定光学系により左右の眼鏡レンズ１００６Ｌ、１００６Ｒの光学特性データが同時に得られる。また、左右の眼鏡レンズ１００６Ｌ、１００６Ｒの光学特性データに基づき、被検者（眼鏡装用者）の瞳孔間距離であるＰＤ値が得られる。
【００６９】
このレンズメータ１０００の測定光学系の構造については、原理的には２つの公知の測定光学系を用いて構成することができ、詳細構成は例えば特願２０００−３９９８０１号に記載されている。本発明の実施の形態では、図１０に示すレンズメータとしたが、ＰＤ測定機能を有する公知のオートレンズメータを用いることもできる。
【００７０】
そのレンズメータ１０００の眼鏡レンズの光学特性データは、演算制御回路６３′に入力される。演算制御回路６３′はモニター装置６４ｑのモニター画面６４ｑ′に眼鏡レンズの光学特性値、ＰＤ値を表示させる役割も果たす。このＰＤ値を用いて、眼鏡レンズ装用者の場合には、検査ユニット５Ｌ，５Ｒの初期設定を行うようにするのが望ましい。
[作用]
次に、このような構成の検眼装置の演算制御回路６３′による制御作用について説明する。
（１）．検査ユニット５Ｌ，５Ｒの検査光学系の初期位置へのセット
この様な構成において、検眼装置２の左の検査ユニット５Ｌの検査光学系の光軸のうちプリズムＰより手前側（顔受け装置６側）の光軸部を左顔受け側光軸部とし、右の検査ユニット５Ｒの検査光学系の光軸のうちプリズムＰより手前側（顔受け装置６側）の光軸部を右顔受け側光軸部として、検査ユニット５Ｌ，５Ｒの検査光学系の初期位置のセット状態を説明する。
【００７１】
この検眼装置２の電源をＯＮさせて起動させると演算制御回路６３′は、ＸＹＺ駆動機構の左ユニット駆動装置（左ユニット駆動手段）Ｌｄ及び右ユニット駆動装置（左ユニット駆動手段）Ｒｄを駆動制御すると共に、左右の水平回転駆動装置２８，２８を駆動制御して、検査ユニット５Ｌ，５Ｒを初期位置に復帰させる。
【００７２】
この制御において、演算制御回路６３′は、左ユニット駆動装置（左ユニット駆動手段）Ｌｄによる検査ユニット５Ｌ及び右ユニット駆動装置（左ユニット駆動手段）Ｒｄによる検査ユニット５Ｒの三次元方向への駆動量を、左ユニット駆動装置（左ユニット駆動手段）Ｌｄ及び右ユニット駆動装置（左ユニット駆動手段）Ｒｄの駆動パルス数から検出することができる。尚、検査ユニット５Ｌ，５Ｒの三次元方向への移動量を検出する移動量検出センサ（Ｘ方向移動量検出センサ，Ｙ方向移動量検出センサ，Ｚ方向移動量検出センサ）を設けて、この移動量検出センサから検査ユニット５Ｌ，５Ｒの三次元方向への駆動量（移動量）を検出することもできる。そして、演算制御回路６３′は、この駆動量（移動量）等から検査ユニット５Ｌ，５Ｒの三次元方向の位置を求める。一方、演算制御回路６３′は、支柱５ｐ，５ｑの回転角等を回転角度検出センサＰｓＬ，ＰｓＲで検出して、支柱５ｐ，５ｑとそれぞれ一体の検査ユニット５Ｌ，５Ｒの旋回角度（旋回位置）等を検知する。
【００７３】
そして、演算制御回路６３′は、初期位置への検出した検査ユニット５Ｌ，５Ｒの復帰制御に際して、検出した検査ユニット５Ｌ，５Ｒの三次元方向の位置から左顔受け側光軸部と右顔受け側光軸部との間隔を被検者の標準瞳孔間距離（例えば、６４ｍｍ）にセットすると共に、検査ユニット５Ｌ，５Ｒの旋回角度（旋回位置）から左顔受け側光軸部と右顔受け側光軸部とが互いに平行（遠方視状態となる遠方視位置）にセットする。
【００７４】
尚、この初期位置のセットは、演算制御回路６３′から検眼装置２の演算制御回路６２′にリセット命令を発信したときに実行させることもできる。
（２）．屈折力測定のための瞳孔間距離ＰＤの入力
演算制御回路６３′には、被検者の瞳孔間距離ＰＤが入力される。この瞳孔間距離ＰＤは、レンズメータ１０００でメガネの左右の眼鏡レンズの光学中心間距離（メガネ装用者の瞳孔間距離ＰＤ）を測定することにより得られ、或いはＰＤメータ等で測定される。このレンズメータ１０００で得られた瞳孔間距離ＰＤは、レンズメータ１０００から演算制御回路６３′にデータ線等の接続線を介して入力される。また、ＰＤメータ等で測定された瞳孔間距離ＰＤは、検眼装置２に接続されるパソコン（データ入力装置）から演算制御回路６３′に入力することができ、又は検眼装置２にキーボード（データ入力装置）を設けておいて、このキーボードから演算制御回路６３′に入力することができる。また、瞳孔間距離ＰＤは、モニター装置６４ｑのモニター画面６４ｑ′にＰＤ入力画面を表示させておいて、ジョイステックレバー６ｈの傾動操作等で入力画面のＰＤ入力枠に入力することもできる。
【００７５】
また、演算制御回路６３′により左右の演算制御回路６２′（Ｌ），６２′（Ｒ）を作動制御して、演算制御回路６２′（Ｌ），６２′（Ｒ）により左右の検査ユニット５Ｌ，５Ｒの液晶表示器５３，５３の中心に視標を表示させると共に、この液晶表示器５３，５３の視標が見える位置まで左ユニット駆動装置Ｌｄ，右ユニット駆動装置Ｒｄで検査ユニット５Ｌ，５Ｒを左右に移動制御させることにより、この移動制御量から検査ユニット５Ｌ，５Ｒ間の距離を被検者の瞳孔間距離ＰＤとして演算制御回路６３′に入力することができる。
（３）．視標の表示サイズの補正（不等像視の補正）
ａ．不等像視
被検者の左右眼（すなわち左被検眼及び右被検眼）を屈折矯正光学系を持つ検眼器で検眼した場合、左右眼の屈折矯正値に大きな差（屈折矯正光学系による左被検眼及び右被検眼の屈折矯正度数の違い）があると、左右眼で認識される像のサイズに違い（不等像視）が発生する。この左右眼の像のサイズの違いは、不等像視検査で確認できる。
【００７６】
この検査の前に、先ず上述した（１）のように検査ユニット５Ｌ，５Ｒの検査光学系の初期位置へのセットがされると共に、（２）のように屈折力測定のために瞳孔間距離ＰＤを入力する。被検者は屈折異常の矯正レンズを装用した状態で左被検眼及び右被検眼による視標視認サイズの検査を行う。
【００７７】
この場合、例えば、検査ユニット（左検査ユニット）５Ｌの液晶表示器（左画像表示装置）５３に図１１（ａ）に示した逆コ字状の表示サイズ確認視標（左視標）１００Ｌを表示させ、検査ユニット（右検査ユニット）５Ｒの液晶表示器（左画像表示装置）５３に図１１（ｂ）に示したコ字状の表示サイズ確認視標（右視標）１００Ｒを表示させる。尚、表示サイズ確認視標１００Ｌ，１００Ｒは左右方向の向きが異なるのみでサイズは同じ大きさで表示されている。また、表示サイズ確認視標１００Ｌは検査ユニット（左検査ユニット）５Ｌの液晶表示器（左画像表示装置）５３に左右方向の中心線Ｏ１より左側に位置させて表示させ、表示サイズ確認視標１００Ｒは検査ユニット（右検査ユニット）５Ｒの液晶表示器（左画像表示装置）５３に左右方向の中心線Ｏ１より右側に位置させて表示させる。更に、表示サイズ確認視標１００Ｌ，１００Ｒの上下方向の表示位置は同じ位置に設定されている。
【００７８】
この状態で、被検者の左被検眼に検査ユニット５Ｌの検査光学系を介して左の液晶表示器５３に表示された表示サイズ確認視標１００を視認させ、被検者の右被検眼に検査ユニット５Ｒの検査光学系を介して右の液晶表示器５３に表示された表示サイズ確認視標１００Ｒをそれぞれ視認させる。
（視認状態）
これに伴い、被検者は、左被検眼及び右被検眼に斜位等が無い場合、左被検眼及び右被検眼でそれぞれ視認された表示サイズ確認視標１００Ｌ，１００Ｒを図１２〜図１４のように同時視及び融像された状態で認識する。
【００７９】
ここで、左被検眼及び右被検眼の視力値（屈折度数）が同じ場合（屈折矯正度数が同じ場合）には、表示サイズ確認視標１００Ｌ，１００Ｒが図１２のように同じサイズで認識される。
【００８０】
また、左被検眼及び右被検眼の視力値が異なる場合（屈折矯正度数が異なる場合）、すなわち装用矯正レンズの度数が異なる場合には、表示サイズ確認視標１００Ｌ，１００Ｒが図１３，図１４のように異なるサイズで認識される。
【００８１】
この際、図１３のように表示サイズ確認視標１００Ｌ，１００Ｒが線幅の半分分のずれとして確認された場合には不等像視の率としては３．５％であり、図１４のように表示サイズ確認視標１００Ｌ，１００Ｒが線幅の1 本分のずれが確認された場合には不等像視の率としては７．０％（図１３）と測定される。尚、必ずしもこのような条件で、表示サイズ確認視標１００Ｌ，１００Ｒのサイズが設定されている必要はない。
（サイズ変更）
そして、左被検眼（左眼）で認識される表示サイズ確認視標１００Ｌの表示サイズをＬｓとし、右被検眼（右眼）で認識される表示サイズ確認視標１００Ｒの表示サイズをＲｓとすると、図１３のように左被検眼が右被検眼より小さい状態（左被検眼＜右被検眼）で ７．０の不等像視が確認された場合、表示サイズＬｓ：表示サイズＲｓ＝１：１．０７の関係となる。例えば、このような関係がある場合、以下のように表示のサイズを変更する。
【００８２】
即ち、検眼中は、このサイズ差が無いことが好ましいので、このサイズの違いを打ち消すように視標のサイズを変更すればよい。
【００８３】
サイズの変更は、例えば、左右眼とも近視なら左眼の像を1.０7倍し、左右眼とも遠視なら、右眼の像を１／１．０７倍し、左右眼の一方が遠視で且つもう一方が近視なら左右の像がほぼ均等に拡大・縮小されることが望ましい。尚、必ずしもこのような数値に限定されるものではない。また、不等像視の率より得られた倍率をＭとして、近視眼は２Ｍ／（Ｍ＋１）倍、遠視眼は２／（Ｍ＋１）倍すると良い。
【００８４】
一方、上述した図３〜図７，図７Ａに示すような屈折光学系を持つ検眼器の場合は、検眼中サイズ差が発生しないのが特徴である。しかしながら、実際の眼鏡を装用したときはサイズ差が発生することは避けられない。
【００８５】
しかるに、検眼後の度数確認時においては、意図的に指標のサイズを変えて眼鏡装用時と同じ状態で見せることが必要となる。その場合のサイズの変更は、上述した条件の場合、単純には左右眼とも近視なら左眼の像を１／１．０７倍し、左右眼とも遠視なら右眼の像を１．０７倍し、左右眼の一方が遠視で且つもう一方が近視なら左右の像がほぼ均等に拡大・縮小されることが望ましく、不等像視の率より得られた倍率をＭとして、遠視眼は２Ｍ／（Ｍ＋１）倍、近視眼は２／（Ｍ＋１）倍すると良い。
【００８６】
尚、上述したような表示サイズの変更は、図２Ａに示した視標操作装置ＣLRである入力操作装置Ｐｃの検者操作部Ｋにより行うことができる。即ち、この際の変更は、検者操作部ＫのキーボードＫｂ又はダイヤルＤａ、又はキーボードＫｂ及びダイヤルＤａによって行うことができる。
ｂ．矯正度数を元にした視標サイズ（表示サイズ確認視標）の変更
また、眼鏡（メガネ）の倍率Ｍは、次式で与えられる。即ち、眼鏡（メガネ）の倍率Ｍは、
【００８７】
【数１】
2010259495.tif 000003
【００８８】
となる。
【００８９】
ここで、Ｄ１はレンズの前面屈折力、Ｄｂはレンズの後面屈折力、tはレンズの中心厚、nはレンズの屈折率、ＶＤはレンズと角膜頂点の距離を示している。
ここで、レンズの中心厚tを無視すると、レンズの屈折力をＤとして、倍率Ｍは次の式で表せる。即ち、倍率Ｍは、
【００９０】
【数２】
2010259495.tif 000004
【００９１】
で表すことができる。
【００９２】
この（式２）式を用い、例えば右眼−２．００(Ｄ）、左眼＋３．００(Ｄ）の眼鏡を装用する場合、各眼のレンズを通して見る像の倍率、及び左右眼の像サイズを比較した時の倍率は、ＶＤ＝１２（ｍｍ）とした場合、表1のようになる。
【００９３】
【表１】
2010259495.tif 000005
【００９４】
これはつまり、従来の光学系（＝度数の違いにより不等像視が発生する）をもつ検眼装置に於いて、上記の右眼−２．００(Ｄ）、左眼＋３．００(Ｄ）の矯正レンズをセットした場合、左右眼間で６．２％の不等像視が発生していることを示す。
【００９５】
一般に、３．５％以上の不等像視が発生した場合、良好な両眼視は得られないと言われているが、左右のレンズ度数の差を少なくするかＶＤの値を小さくする以外には、検眼中の不等像視を補正することは不可能であった。
【００９６】
本発明では、左右個別に指標を提示でき指標の大きさを変えられる機能を有しており、検眼中に左右の指標のサイズ差を補正することが可能である。
【００９７】
補正は各眼の倍率が１になるように行えばよいので、（式２）で求めた倍率の逆数を次の（式３）の倍率として、各眼（左右眼）に視認させる各視標に適用して表示すれば良い。
【００９８】
【数３】
2010259495.tif 000006
【００９９】
なおこの調整は、閾値として不等像視の率を設定し、レンズ度数から算出された不等像視率が設定値を超える場合には、自動でサイズ調整を行うようにしても良い。また、このような表示サイズの変更は、図２Ａに示した視標操作装置ＣLRである入力操作装置Ｐｃの検者操作部Ｋにより行うことができる。即ち、この際の変更は、検者操作部ＫのキーボードＫｂ又はダイヤルＤａ、又はキーボードＫｂ及びダイヤルＤａによって行うことができる。更に、この際のサイズの変更は、検者が被検者に視標の見え方（左右の視標の大きさが同じか、いずれが大きいか等）を質問して、その応答に応じて検者が検者操作部Ｋを操作することにより実行することもできる。
【０１００】
次に図３〜図７，図７Ａに示すような、矯正レンズを瞳と共役となる位置に配置する光学系を持つ検眼装置では、ＶＤ＝０となるので（式１）の倍率は常に1となり、左右眼で像サイズの違いは発生しない。そのため、検眼中はこれらの不都合を解決することができる。一方で検眼後の確認の際には、矯正度数による左右の像のサイズ差に付いても確認する必要がある。
【０１０１】
そのため最終確認を行う際には、（式１）で算出した倍率を各眼（左右眼）に視認させる視標に適用して表示すれば良い。
（４）．左右の視標のコントラスト補正（変更）
加齢により、人の眼のコントラスト感度は徐々に低下するが、左右で著しく度合いの異なるコントラスト感度の低下が生じた場合、両眼視機能に悪影響を及ぼし正しく両眼視が出来なくなることもある。
【０１０２】
検眼中は、両眼視に問題がある場合、それがコントラスト感度の低下による物なのか、それ以外の原因による物なのかを切り分けて検眼する必要がある。
【０１０３】
コントラスト感度特性の検査により、左右眼のコントラスト感度に大きな隔たりが確認された際には、本発明の機能により、左右の視標のコントラストを変えることで、左右眼のコントラスト感度の平衡を、ある程度取ることが可能となる。
【０１０４】
図１５（ａ）に示すように左半分が左眼（左被検眼）にのみ投影される左視標Ｌｄｘを左側の検査ユニット５Ｌの液晶表示器５３に左右の中心線Ｏ２より左側に表示させ、図１５（ｂ）に示すように右半分が右眼（右被検眼）にのみ投影される右視標Ｒｄｘを右側の検査ユニット５Ｒの液晶表示器５３に左右の中心線Ｏ２より左側に表示させる。このような表示により、左視標Ｌｄｘおよび右視標Ｒｄｘを被検者の左右眼にそれぞれ提示して同時に視認させたときに、左右眼が正常で左右眼でコントラスト感度（視認状態）に差が無い場合には図１６の様な見え方となるが、左右眼でコントラスト感度（視認状態）に大きな差がある場合には例えば図１７の様な見え方となる。
【０１０５】
尚、図１５では左視標Ｌｄｘ及び右視標Ｒｄｘに英文字「ＡＢＣ」を用いており、図１７では左視標Ｌｄｘのコントラストが右視標Ｒｄｘのコントラストより明るい（感度が高い）状態となっている。
【０１０６】
そこで、コントラスト感度が低い方の眼の視標のコントラストを上げ、左右でほぼ同等な見え方になるまで調節する。図１７では、右視標Ｒｄｘのコントラストの感度が低いので、右視標Ｒｄｘのコントラストの感度を左視標Ｌｄｘの感度まで上げるような調節（変更）を行う。
【０１０７】
また、このようなコントラストの変更は、図２Ａに示した視標操作装置ＣLRである入力操作装置Ｐｃの検者操作部Ｋにより行うことができる。即ち、この際の変更は、検者操作部ＫのキーボードＫｂ又はダイヤルＤａ、又はキーボードＫｂ及びダイヤルＤａによって行うことができる。更に、この際のコントラストの変更は、検者が被検者に視標の見え方（左右の視標の明るさが同じか、いずれが明るいか等）を質問して、その応答に応じて検者が検者操作部Ｋを操作することにより実行することができる。
【０１０８】
ここで最終的に調節された値を記憶し、以降行う両眼視機能検査に於いては、このコントラスト状態を保って視標を提示するようにすると良い．
なお、他覚屈折測定では、一般に眼に光を入射し、入射光の強度と反射光の強度の差を測定することで、眼の透過率を測定することが出来る。
【０１０９】
左右眼で透過率にどれくらいの差があれば、コントラスト感度としてどの程度の違いが発生するかの相関を調べることで、コントラスト調整機能を自動で行うようにしても良い。
（５）．視標呈示位置の変更（補正）
Ａ．眼位ずれによる視標の視認状態について
眼位ずれの測定は、図１８（ａ）に示すような左眼と右眼で異なる視標を提示し、これらを同時視したときの合成像により行われる。
【０１１０】
即ち、図１８（ａ）に示したように、検査ユニット５Ｌの液晶表示器５３に横視標線である左眼用ズレ検出用視標（左眼用斜位検出視標）Ｌｍを表示させ、検査ユニット５Ｒの液晶表示器５３に縦視標線である右眼用ズレ検出用視標（右眼用斜位検出視標）Ｒｍを表示させる。そして、この左眼用ズレ検出用視標Ｌｍ，右眼用ズレ検出用視標Ｒｍを被検者の左右眼にそれぞれ同時に視認させ、この左眼用ズレ検出用視標Ｌｍと右眼用ズレ検出用視標Ｒｍを被検者に図１８（ｂ）の(i)〜(iii)のように融像した合成像として認識させることにより、眼位ずれの測定が行われる。
【０１１１】
この左眼用ズレ検出用視標Ｌｍは左右に間隔をおいて直列に配列された横視標線Ｌｍ１,Ｌｍ２を有し、右眼用ズレ検出用視標Ｒｍは上下に間隔をおいて直列に配列された縦視標線Ｒｍ１,Ｒｍ２を有する。
【０１１２】
図１８の例では、眼位ずれが無い場合には左眼用ズレ検出用視標（横視標線）Ｌｍ）と右眼用ズレ検出用視標（縦視標線）Ｒｍが共に(i)のように中央で交差するが、水平斜位がある場合には(ii)に示したように水平方向にずれた像が、垂直斜位がある場合には(iii)に示したように垂直方向にずれた像が観察される。
【０１１３】
ここで、水平斜位の一例を図１９に示す。この図１９では、多数の点で示した左眼用ズレ検出視標Ｌｍ（横視標線Ｌｍ１,Ｌｍ２），右眼用ズレ検出視標Ｒｍ（縦視標線Ｒｍ１,Ｒｍ２）が被検者の知覚している視標の見え方で、斜線で示した左眼用ズレ検出視標Ｌｍ，右眼用１だけずれて見えると共に右眼（右被検眼）に提示される縦線（右眼用ズレ検出視標Ｒｍ）が左側にズレ量ｘ２だけずれて見えるので、被検者は外斜位の状態となっていることが分かる。
Ｂ．眼位ずれによる視標の見え方の表示補正
図１９のような視標の見え方のずれを補正するには、通常プリズムレンズが用いられるが、本装置では左右眼に提示する視標の描画位置を変更することでプリズムレンズの代用となる。
【０１１４】
つまり、図１９の例に於いては、多数の点で示した左眼の像（左眼用ズレ検出視標Ｌｍ＝横視標線Ｌｍ１,Ｌｍ２）をズレ量ｘ１だけ左に移動させると共に、多数の点で示した右眼の像（右眼用ズレ検出視標Ｒｍ＝縦視標線Ｒｍ１,Ｒｍ２）をズレ量ｘ２だけ右に移動させて、左眼用ズレ検出用視標（横視標線）Ｌｍと右眼用ズレ検出用視標（縦視標線）Ｒｍが中央で交差する状態に調節すればよい。
【０１１５】
尚、プリズムレンズの単位は通常プリズムディオプターが用いられるが、この定義は「１プリズムディオプターは、眼前１ｍの所に位置する物を１ｃｍ変位させるプリズムの度数」とされているので、ズレ量ｘ１，ｘ２は視標の変位量からプリズムディオプターの補正データに換算して表示することが可能である。このプリズム適応量（プリズムディオプターの補正データ）が決定すれば、ズレ量ｘ１，ｘ２のプリズム適応量（プリズムディオプターの補正データ）をメモリＭに記憶させておく。そして、その後の検査に於いては、メモリＭに記憶させたプリズム適応量（プリズムディオプターの補正データ）に基づいて、左側の検査ユニット５Ｌおよび液晶表示器５３に表示させる左視標を図２０（ａ）のようにズレ量ｘ１だけ左にずらして表示させると共に、図２０（ｂ）のように右側の検査ユニット５Ｒおよび液晶表示器５３に表示させる左視標をズレ量ｘ２だけ右側にずらして表示させる。尚、ズレ量ｘ１，ｘ２は補正量ということができる。
【０１１６】
従って、図２０（ａ），（ｂ）の様にあらかじめ左眼および右眼に呈示する視標（例えば、文字Ａ，Ａ）をズレ量ｘ１，ｘ２だけ左右に変位させた状態で被検者の左右眼にそれぞれ提示することで、両眼で同時視したときの合成像は図２０（ｃ）のようにずれなく中央に提示されているように見える。
【０１１７】
尚、このような眼位ずれの補正は、図２Ａに示した視標操作装置ＣLRである入力操作装置Ｐｃの検者操作部Ｋにより行うことができる。即ち、この際の補正は、検者操作部ＫのキーボードＫｂ又はダイヤルＤａ、又はキーボードＫｂ及びダイヤルＤａによって行うことができる。更に、この際の補正は、検者が被検者に視標の見え方（左右の視標にずれがあるか否か、どのようにずれているか等）を質問して、その応答に応じて検者が検者操作部Ｋを操作することにより実行することができる。
Ｃ．上述したＡの眼位ずれの測定例及びＢの視標の見え方の表示補正の例
上述したような眼位ずれの測定例として斜位テスト（十字斜位テスト）がある。この斜位テストでは、上述した検査ユニット５Ｌ，５Ｒ内の検査光学系（測定光学系）のロータリープリズム５５Ａ，５５Ｂを用いて斜位量測定が行われる。
(C-a)．ロータリープリズム５５Ａ，５５Ｂを用いての斜位量測定
図２１（ａ）は上述した左眼用ズレ検出用視標（左眼用斜位検出視標）Ｌｍと同じ左眼用の十字斜位テストチャートの視標７１Ａを示し、図２１（ｂ）は上述した右眼用ズレ検出用視標（左眼用斜位検出視標）Ｒｍと同じ右眼用の十字斜位テストチャートの視標７１Ｂを示し、図２２は正常眼で両眼視したときの視標７１Ａ、７１Ｂの見え方を示す。表２にその斜位の見え方を示す。
【０１１８】
【表２】
2010259495.tif 000007
【０１１９】
演算制御回路６３′は、左右の検査ユニット５Ｌ，５Ｒの液晶表示器５３，５３には視標７１Ａ，７１Ｂをそれぞれ表示させるようになっている。この検査ユニット５Ｌ，５Ｒの液晶表示器５３，５３にそれぞれ表示される視標は、ロータリープリズム５５Ａ，５５Ｂ及び検査ユニット５Ｌ，５Ｒの測定光学系を介して左眼（左被検眼）及び右眼（右被検眼）にそれぞれ呈示される。
【０１２０】
そして、正常眼は図２２に示すように視標７１Ａと視標７１Ｂとは中心で交差するが、斜位があると分離する。また、ロータリープリズム５５Ａ、５５Ｂは、斜位のテストに用いられ、即ち図２２に示すように視標７１Ａと視標７１Ｂとが中心で交わるために必要なプリズム量を測定するために用いられる。
【０１２１】
尚、斜位テストの検眼プログラムにおいて演算制御回路６３′は、斜位テストプログラム（検眼プログラム）に従って、ジョイステックレバー６ｈが左又は右に倒される（傾動させられる）若しくは前又は後に倒される（傾動させられる）と、ジョイステックレバー６ｈの傾動検出センサ１２ｂからの傾動信号から、ロータリープリズム５５Ａ，５５Ｂを互いに逆方向に回転させてプリズム量を連続的に変更させるようになっている。
【０１２２】
尚、ロータリープリズム５５Ａ，５５Ｂは、駆動装置としてのパルスモータ等の駆動モータＰｄｍでそれぞれ逆方向または同方向に回転駆動可能に設けられている。そして、ロータリープリズム５５Ａ，５５Ｂによるプリズム量は、ロータリープリズム５５Ａ，５５Ｂをそれぞれ回転させる駆動モータＰｄｍの駆動パルス数（駆動量）から検出できる。また、ロータリープリズム５５Ａ，５５Ｂにそれぞれ連動するポテンショメータやロータリーエンコーダ等の回転検出装置（回転角検出手段）Ｒｐｓを設けておいて、この回転角検出装置Ｒｐｓからの出力信号（回転信号）からロータリープリズム５５Ａ，５５Ｂによるプリズム量を検出することもできる。
（C-ｂ）．十字斜位チャートのセット
先ず、検査ユニット５Ｌの液晶表示器５３に上述した図２１（ａ）に示す十字斜位チャートの視標７１Ａを左眼用ズレ検出用視標（左眼用斜位検出視標）として表示させ、検査ユニット５Ｒの液晶表示器５３に図２１（ｂ）に示す十字斜位チャートの視標７１Ｂを右眼用ズレ検出用視標（左眼用斜位検出視標）として表示させる。これにより、被検者の両眼（左被検眼及び右被検眼）に図２１（ａ），図２１（ｂ）に示す十字斜位チャートの視標７１Ａ，７１Ｂをそれぞれ呈示されて、十字斜位チャートをセットが行われる。
【０１２３】
この際に、図５，図７に示すＬＥＤ５３Ａを点灯させ、融像枠５３Ｆを両眼にそれぞれ提示する。その理由を以下に説明する。
【０１２４】
眼位ズレには斜位と斜視がある。斜位は、日常の私生活で両眼とも視線は正しく注視物体に向き常に両眼単一視を行っているが、片眼を覆った場合、覆われた方の視線がずれる眼位ズレをいい、斜視は片眼を覆っても覆わなくても常に視線のずれが見られ、注視物体は常に複視となる眼位ズレをいう。
【０１２５】
斜視ではなく斜位のある人は、自然界の物体を注視しているときには、物体は二重像とはならず、重なって見えるので日常生活には支障はない。しかしながら、左目用の光学系と右目用の光学系とを別々に設けて各光学系を通じて、融像刺激のない像を両眼に提示させると、眼位ズレがあることが明らかになる。
【０１２６】
また、左目に提示される視標と右目に提示される視標とが同じ場合でも、視野の狭い一文字視標による視力検査の場合や、更に輻湊させて行う近用視力テストでは、左目で見た視標と右目で見た視標とを融像できないことが起こり得る。
(C-c)．２本線のみ視認可能なとき
(c1)．「４本の線[垂直な２本線（縦線）と水平な２本線（横線）]が見えますか？見えたらジョイステックレバー６ｈのボタン６ｇを押して下さい。水平の２本線のみが見えるなら、ジョイステックレバー６ｈを右又は左に、垂直の２本線のみが見えるなら、ジョイステックレバー６ｈを前又は後方に倒して下さい。」とアナウンスする。
(c2)．ジョイステックレバー６ｈが右又は左に倒されたら右眼に、前又は後方に倒されたら左眼に抑制が働いており、斜位検査は不能である。“斜位：要精検（斜位の精密検査要）”とメモリーして斜位検査を終了する。
(c3)．４本線が視認可能で正位（斜位がない正常）なとき
(c3a)．ジョイステックレバー６ｈのボタン６ｇが押されたら、「横線と縦線の中心は重なっていますか？重なっていたら、ジョイステックレバー６ｈのボタン６ｇを押して下さい。縦線が右に寄っているならジョイステックレバー６ｈを右に、左に寄っているならジョイステックレバー６ｈを左に倒して下さい。」とアナウンスする。
(c3b)．ボタン６ｇが押されたら、“斜位：正常”とメモリーして、斜位検査を終了する。そして、ジョイステックレバー６ｈが右に倒されたら両眼同時にＢＯプリズム（内斜位であるベースアウトプリズム）とし、左に倒されたら両眼同時にＢＩプリズム（外斜位であるベースインプリズム）とする（表２）。プリズム変換の最小単位は、０．２５△とする。
(c4)．４本線が視認可能で水平方向の斜位があるとき
(c4a)．ジョイステックレバー６ｈが右に倒された場合、「縦線が横線の中心位置と一致するまで、ジョイステックレバー６ｈを右または左に倒し、一致したらジョイステックレバー６ｈのボタン６ｇを押して下さい。」とアナウンスする。
(c4b)．ジョイステックレバー６ｈのボタン６ｇが押されるまで、ジョイステックレバー６ｈを右或いは左に倒した回数をカウントする。右に倒した後に左に倒したら差引きで０回とする。右がＢＯ（内斜位）、左がＢＩ（外斜位）となり、倒した回数×０．２５がプリズム量（△）となる。
(c4c)．水平斜位“ＢＯ（又は、ＢＩ）△”とメモリーする。
(c4d)．ジョイステックレバー６ｈのボタン６ｇが押されたら、「横線と縦線の中心は重なっていますか？重なっていたら、ジョイステックレバー６ｈのボタン６ｇを押して下さい。横線が上に寄っているならジョイステックレバー６ｈを上に、下に寄っているならジョイステックレバー６ｈを下に倒して下さい。」とアナウンスする。
(c5)．４本線が視認可能で垂直方向の斜位があるとき
(c5a)．ジョイステックレバー６ｈが上に倒されたら、右眼はＢＤプリズム、左眼はＢＵプリズムとし、下に倒されたら、右眼はＢＵプリズム（ベースアッププリズム）、左眼はＢＤプリズム（ベースダウンプリズム）とする（表２）。
(c5ｂ)．「縦線が横線の中心が重なるまで、ジョイステックレバー６ｈを上または下に倒し、一致したらジョイステックレバー６ｈのボタン６ｇを押して下さい。」とアナウンスする。
(c5ｃ)．ジョイステックレバー６ｈのボタン６ｇが押されるまで、ジョイステックレバー６ｈを上或いは下に倒した回数をカウントする。上に倒した後、下に倒したら差引きで０回とする。上が右眼上斜位、下が左眼上斜位となり、各方向に倒した回数×０．２５がプリズム量（△）となる。
ｍ）垂直斜位“右眼ＢＤ△”とメモリーする。または“左眼ＢＤ△”とメモリーする。
Ｄ．斜位テストのプリズム量から視標のずれ量を算出し、視標の検査ユニット５Ｌ，５Ｒの液晶表示器５３への視標表示中心（視標表示位置）の補正
この斜位テストのプリズム量は、被検者毎に異なるので、被検者のＩＤとともにメモリＭのデータベースに被検者データとして記録しておく。
【０１２７】
そして、演算制御回路６３′は、被検者のＩＤがパソコン等から入力されたときに、被検者データからＩＤに対応する斜位テストのプリズム量を読み出して、この読み出した斜位テストのプリズム量から検査ユニット５Ｌ，５Ｒの液晶表示器５３，５３に表示させる視標の表示位置を補正する。
【０１２８】
このようにすることで斜位のある被検者の場合には、一度斜位検査をしておけば、次回からはロータリープリズム５５Ａ，５５Ｂによる斜位テストを行う必要はなく、屈折力テストや視機能検査のための視標を被検者の左右の被検眼に迅速に呈示できる。
【０１２９】
尚、上述したような斜位テストによるプリズム量の記録（記憶）は必ずしも必要ではない。すなわち、斜位テストごとにプリズム量を測定すると共に、測定された斜位量を視標移動量に換算して、この換算した視標移動量に基づいて視標を提示可能であるからである。
Ｅ．図７Ａの測定光学系（検査光学系）を備える検眼装置の場合
この場合には、斜位テストプログラムにおいて、検査ユニット５Ｌ，５Ｒの水平方向の向きは遠方視状態の位置にセットする。
【０１３０】
そして、検査ユニット５Ｌの液晶表示器５３のみに固視標又は画像等を表示させると共に、検査ユニット５Ｌの移動レンズ５７をパルスモータＰＭａにより光軸方向に移動させて、固視標又は画像等が被検者の左被検眼に見える位置に移動レンズ５７をセットする。同様に、検査ユニット５Ｒの液晶表示器５３のみに固視標又は画像等を表示させると共に、検査ユニット５Ｒの移動レンズ５７をパルスモータＰＭａにより光軸方向に移動させて、固視標又は画像等が被検者の右被検眼に見える位置に移動レンズ５７をセットする。これらのセットは、左被検眼と右被検眼とで別々に行われる。
【０１３１】
このセットが完了した状態で、図１８（ａ）に示したように、検査ユニット５Ｌの液晶表示器５３に左眼用ズレ検出用視標Ｌｍを表示させると同時に、検査ユニット５Ｒの液晶表示器５３に右眼用ズレ検出視標Ｒｍを表示させる。これにより、被検者の両眼（左被検眼及び右被検眼）には左眼用ズレ検出用視標Ｌｍおよび右眼用ズレ検出視標Ｒｍがそれぞれ呈示されて、十字斜位チャートをセットが行われる。尚、ここでは、上述したように、左眼用ズレ検出用視標Ｌｍは横に間隔をおいた一対の横視標線Ｌｍ１,Ｌｍ２からなり、右眼用ズレ検出視標Ｒｍは縦に間隔をおいた一対の縦視標線Ｒｍ１,Ｒｍ２からなっている。
【０１３２】
この左眼用ズレ検出用視標Ｌｍと右眼用ズレ検出視標Ｒｍを左被検眼および右被検眼にそれぞれ視認させて融像させたときに、図２３（ｃ）に示したように左眼用ズレ検出用視標Ｌｍの中心（横視標線Ｌｍ１,Ｌｍ２間の中心）Ｌｏと右眼用ズレ検出視標Ｒｍの中心（縦視標線Ｒｍ１,Ｒｍ２間の中心）Ｍｏが一致していれば、図１８（ｂ）の(i)のように斜位がない正位となるので、ジョイステックレバー６ｈのボタン６ｇを押すことで、斜位テストが完了する。
【０１３３】
また、左眼用ズレ検出用視標Ｌｍと右眼用ズレ検出視標Ｒｍを左被検眼および右被検眼にそれぞれ視認させて融像させたときに、図１９の（ｂ）（ii）又は図１９の（ｂ）（iii）のようにずれていれば、即ち図２３の（ａ），（ｂ）に示したように左眼用ズレ検出用視標Ｌｍの中心（横視標線Ｌｍ１,Ｌｍ２間の中心）と右眼用ズレ検出視標Ｒｍの中心（縦視標線Ｒｍ１,Ｒｍ２間の中心）が左右または上下にｘ又はｙずれていれば、斜位があることになる。
【０１３４】
この斜位がある場合において斜位量を求めるにはジョイステックレバー６ｈを用いる。この際、演算制御回路６３′は、ジョイステックレバー６ｈを左又は右に傾動させると、検査ユニット５Ｒの液晶表示器５３に表示された縦視標線Ｒｍ１，Ｒｍ２の表示位置を左又は右に移動させ、ジョイステックレバー６ｈを前又は後に傾動させると、検査ユニット５Ｌの液晶表示器５３に表示された横視標線Ｌｍ１，Ｌｍ２の表示位置を上又は下に移動させる。
【０１３５】
そして、図２３の（ｃ）のように左眼用ズレ検出用視標Ｌｍの中心（横視標線Ｌｍ１,Ｌｍ２間の中心）と、右眼用ズレ検出視標Ｒｍの中心（縦視標線Ｒｍ１,Ｒｍ２間の中心）が一致したときに、ジョイステックレバー６ｈのボタン６ｇを押すことで、左眼用ズレ検出用視標Ｌｍの上下方向へのズレ量（斜位量）および右眼用ズレ検出視標Ｒｍの左右方向へのズレ量（斜位量）を求める。この求められたズレ量（斜位量）はメモリＭの被検者データに被検者のＩＤと共に記憶される。
【０１３６】
また、このＩＤの被検者の場合には、メモリＭの被検者データに記憶させたズレ量（斜位量）に基づいて、検査ユニット５Ｌ，５Ｒの液晶表示器５３，５３に表示される視標の表示位置を補正する。
【０１３７】
従って、この補正に基づき左右の検査ユニット５Ｌ，５Ｒの液晶表示器５３，５３に図２４の（ａ）のように同じランドルト環を表示させて、左右の液晶表示器５３，５３のランドルト環を同時に左被検眼及び右被検眼で視認させたときに、被検者には図２４（ｂ）のように一つのランドルト環として見えることになる。
(６）水平回旋角の変更
「（５）の視標提示位置の変更」に記載した眼位ずれ補正は、水平斜位に関しては視標の描画位置を変更する代わりに、図２Ａに示す装置を用いて検査ユニット５Ｌ，５Ｒの回旋角を変えることで同様の効果を得ることも可能である。
【０１３８】
図２０に示すような眼位ずれの場合、正位の状態と比較すると左眼に提示される像が右側に、右眼に提示される像が左側にずれて見える外斜位の状態となっている。従って、この見え方を補正には、光学系の輻輳を外に開くように、つまり左側の光学系を左回りに、右側の光学系を右回りに回旋させ、縦線と横線が中央で交差する状態に調節すればよい。
【０１３９】
プリズム度数の定義から、光学系の回旋角が求まれば次の（式４）でプリズム度数Ｐｎを求めることが可能である。
【０１４０】
Ｐｎ＝１００×ｔａｎθ        （式４）
Ｐｎ：プリズム度数
θ：正位の状態からの装置の回旋角
なお、左右の合計プリズムを求める場合には、θは右回旋角と左回線角の合計値となる。
【０１４１】
以上説明したように、この発明の実施の形態の検眼装置は、被検者の左被検眼を検査させる左検査光学系が内蔵された左検査ユニット（左眼用検査ユニット５Ｌ）と、前記被検者の右被検眼を検査させる右検査光学系が内蔵された右検査ユニット（右眼用検査ユニット５Ｒ）と、前記左検査光学系を介して前記左被検眼に視認させる左視標が表示されられる左画像表示装置（左眼用検査ユニット５Ｌの液晶表示器５３）と、前記右の検査光学系を介して前記右被検眼に視認させる右視標が表示されられる右画像表示装置（右眼用検査ユニット５Ｒの液晶表示器５３）とを備えている。また、検眼装置は、複数の視標を記録させた視標記録手段（メモリＭ）と、前記視標記録手段（メモリＭ）に記録させた複数の視標から前記左視標及び右視標を選択する視標選択手段（視標操作装置ＣLRである入力操作装置Ｐｃ）と、前記視標選択手段（入力操作装置Ｐｃ）により選択される前記左視標及び右視標を前記左画像表示装置（液晶表示器５３，５３）及び右画像表示装置にそれぞれ独立して表示させる演算制御回路６３′とを備えている。しかも、検眼装置には、前記左被検眼により視認される前記左視標と前記右被検眼により視認される前記右視標の視認状態が最適検査条件となるように、前記左画像表示装置（左眼用検査ユニット５Ｌの液晶表示器５３）に表示された前記左視標と前記右画像表示装置（右眼用検査ユニット５Ｒの液晶表示器５３）に表示された前記右視標の位置を個別に補正させる視標表示状態補正手段（視標操作装置ＣLRである入力操作装置Ｐｃ）が設けられている。尚、画像表示装置である液晶表示器５３は視標表示装置と言うこともできる。
【０１４２】
この構成によれば、被検眼による視認状態を検査可能な状態に簡易に補正できる。
【０１４３】
また、この発明の実施の形態の検眼装置において、前記視認状態は前記左被検眼の屈折度数に基づく前記左視標の左視標視認サイズ及び前記右被検眼の屈折度数に基づく前記右視標の右視標視認サイズである。しかも、前記視標表示状態補正手段（視標操作装置ＣLRである入力操作装置Ｐｃ）は、前記最適検査条件として前記左視標視認サイズと前記右視標視認サイズが同じになるように、前記左画像表示装置（左眼用検査ユニット５Ｌの液晶表示器５３）に表示された前記左視標の表示サイズと前記右画像表示装置（右眼用検査ユニット５Ｒの液晶表示器５３）に表示された前記右視標の表示サイズを前記左被検眼及び右被検眼の屈折度数に基づいて個別に補正可能に設けられている。
【０１４４】
この構成によれば、 屈折異常補正光学系を瞳と共役となる位置に配置した検査装置に於いては、左右眼で個別に視標像のサイズの変更が行えることにより、検眼終了後の度数確認時に眼鏡装用時のサイズで提示することが可能となる。また、眼鏡と同様に、眼前に屈折異常補正光学系を持つ検査装置に於いては、左右眼で個別に視標像のサイズの変更が行えることにより、検眼中は不等像視を打ち消すように視標サイズを変更して提示することが可能となる。
【０１４５】
更に、この発明の実施の形態の検眼装置において、前記視認状態は前記左の被検眼による前記左視標の左視標視認コントラスト及び前記右の被検眼による前記右視標の右視標視認コントラストである。しかも、前記視標表示状態補正手段（視標操作装置ＣLRである入力操作装置Ｐｃ）は、前記最適検査条件として前記左視標視認コントラスト及び前記右視標視認コントラストが同じになるように、前記左画像表示装置（左眼用検査ユニット５Ｌの液晶表示器５３）に表示された前記左視標のコントラストと前記右画像表示装置（右眼用検査ユニット５Ｒの液晶表示器５３）に表示された前記右視標のコントラストを個別に補正可能に設けられている。
【０１４６】
この構成によれば左右眼で個別に視標像の明るさ・コントラストの変更が行えることにより、左右眼のコントラスト感度の違いを少なくした状態で検眼が可能となり、特に両眼視機能検査時に有効に働く（機能する）。
【０１４７】
また、この発明の実施の形態の検眼装置において、前記視認状態は前記左被検眼と前記右被検眼の眼位ズレによって生じる視標視認位置ズレであって前記左被検眼による前記左視標の左視標視認位置と前記右被検眼による前記右視標の右視標視認位置の融合状態における視標視認位置ズレである。しかも、前記視標表示状態補正手段（視標操作装置ＣLRである入力操作装置Ｐｃ）は、前記最適検査条件として前記左視標視認位置と前記右視標視認位置の視標視認位置ズレがゼロとなるように、前記左画像表示装置（左眼用検査ユニット５Ｌの液晶表示器５３）に表示された前記左視標の表示位置と前記右画像表示装置（右眼用検査ユニット５Ｒの液晶表示器５３）に表示された前記右視標の表示位置を個別に補正可能に設けられている。
【０１４８】
この構成によれば、 輻輳テスト、眼位ずれテスト等がプリズムレンズを用いずに行え、かつ検査中は眼位ずれの補正がプリズムレンズを用いずに行えるため、プリズムレンズによる色収差の影響を受けずに検査を行える。
【０１４９】
また、この発明の実施の形態の検眼装置において、前記視認状態は前記左被検眼と前記右被検眼の左右方向への眼位ズレによって生じる視標視認位置ズレであって前記左被検眼による前記左視標の左視標視認位置と前記右被検眼による前記右視標の右視標視認位置の融合状態における視標視認位置ズレである。また、前記左検査ユニット（左眼用検査ユニット５Ｌ）は左ユニット駆動装置（Ｌｄ）により前記左被検眼の回旋中心に水平旋回可能に設けられ、前記右検査ユニット（右眼用検査ユニット５Ｒ）は右ユニット駆動装置（Ｒｄ）により前記右被検眼の回旋中心に水平旋回可能に設けられている。しかも、前記視標表示状態補正手段（視標操作装置ＣLRである入力操作装置Ｐｃ）は、前記最適検査条件として前記左視標視認位置と前記右視標視認位置の左右方向への視標視認位置ズレがゼロとなるように、前記駆動装置（Ｌｄ，Ｒｄ）を作動制御して前記左検査ユニット（左眼用検査ユニット５Ｌ）と前記右検査ユニット（右眼用検査ユニット５Ｒ）を個別に水平旋回させることにより、前記左画像表示装置（左眼用検査ユニット５Ｌの液晶表示器５３）に表示された前記左視標と前記右画像表示装置（右眼用検査ユニット５Ｒの液晶表示器５３）に表示された前記右視標の位置を個別に補正させるようになっている。
【０１５０】
この構成によれば、輻輳テスト、眼位ずれテスト等がプリズムレンズを用いずに行え、かつ検査中は眼位ずれの補正がプリズムレンズを用いずに行えるため、プリズムレンズによる色収差の影響を受けずに検査を行える。
【０１５１】
上述した実施例では、この発明をレフ系の光学系（屈折力測定光学系３３Ｌ，３３Ｒ等）が設けられた検査ユニット５Ｌ，５Ｒを備える検眼装置２に適用した例を示したが、必ずしもこれに限定されるものではない。この発明は、検査ユニット２の検査ユニット５Ｌ，５Ｒからレフ系の光学系（屈折力測定光学系３３Ｌ，３３Ｒ等）を除いた構成に適用しても良い。
【符号の説明】
【０１５２】
５Ｌ・・・左眼用検査ユニット（左検査ユニット）
５Ｒ・・・右眼用検査ユニット（右検査ユニット）
５３・・・液晶表示器（画像表示装置、視標表示装置）
Ｍ・・・メモリ（視標記録手段）
Ｐｃ・・・入力操作装置（視標選択手段，視標操作装置）
ＣLR・・・視標操作装置（視標選択手段）
６２，６３・・・演算制御回路
Ｌｄ・・・左ユニット駆動装置
Ｒｄ・・・右ユニット駆動装置
【図１】
2010259495.tif 000008
【図２】
2010259495.tif 000009
【図２Ａ】
2010259495.tif 000010
【図３】
2010259495.tif 000011
【図４】
2010259495.tif 000012
【図５】
2010259495.tif 000013
【図６】
2010259495.tif 000014
【図７】
2010259495.tif 000015
【図７Ａ】
2010259495.tif 000016
【図８】
2010259495.tif 000017
【図９Ａ】
2010259495.tif 000018
【図９Ｂ】
2010259495.tif 000019
【図９Ｃ】
2010259495.tif 000020
【図１０】
2010259495.tif 000021
【図１１】
2010259495.tif 000022
【図１２】
2010259495.tif 000023
【図１３】
2010259495.tif 000024
【図１４】
2010259495.tif 000025
【図１５】
2010259495.tif 000026
【図１６】
2010259495.tif 000027
【図１７】
2010259495.tif 000028
【図１８】
2010259495.tif 000029
【図１９】
2010259495.tif 000030
【図２０】
2010259495.tif 000031
【図２１】
2010259495.tif 000032
【図２２】
2010259495.tif 000033
【図２３】
2010259495.tif 000034
【図２４】
2010259495.tif 000035